(57)【特許請求の範囲】
【請求項１】
サンプリング用フィルタで塵埃を捕捉する捕集工程と、前記サンプリング用フィルタを抽出液に接触させて、前記捕捉した塵埃を懸濁させ、前記抽出液を空気の混入により攪拌して、前記捕捉した塵埃に含有されたアレルゲンを前記抽出液に抽出する抽出工程と、アレルゲン抽出後の塵埃を前記サンプリング用フィルタによって前記抽出液から分離してアレルゲンが溶解した被検液を作成する分離工程とを有することを特徴とするアレルゲン測定用被検液作成方法。
【請求項２】
前記サンプリング用フィルタの形状は、網状および不織布状のいずれか１種類の形状または両方が複合した形状であることを特徴とする請求項１に記載のアレルゲン測定用被検液作成方法。
【請求項３】
前記サンプリング用フィルタは、セルロース、ポリプロピレン、ナイロン、フッ素樹脂、ポリエチレン、ポリスチレン、アクリル樹脂、ステンレス、チタン、鉄、銅のいずれか１種類の材質または複数種類が複合した材質であることを特徴とする請求項１または２に記載のアレルゲン測定用被検液作成方法。
【請求項４】
前記サンプリング用フィルタの捕捉可能な粒径が１μｍ以上、１００μｍ以下であることを特徴とする請求項１乃至３の内いずれか１項に記載のアレルゲン測定用被検液作成方法。
【請求項５】
サンプリング用フィルタが設けられ、排気側からの吸引により塵埃を含んだ空気から塵埃を分離できる塵埃溜め部と、抽出液を貯える抽出液貯液槽と、外気と前記抽出液貯留槽と連通し抽出液を導入できる抽出部と、前記塵埃溜め部の排気側を前記抽出部内の抽出液中に浸漬したとき、逆方向からの吸引で抽出液を前記塵埃溜め部内に移して該抽出液と塵埃とを接触させるファンとを有することを特徴とするアレルゲン測定用被検液作成装置。
【請求項６】
サンプリング用フィルタが設けられ、塵埃を含んだ空気を排気側から吸引したときには塵埃を捕集し、排気側が抽出液中に浸漬されたときには吸気側から前記抽出液を吸引することにより捕集された塵埃と前記抽出液を混合することができる塵埃溜め部と、抽出液を貯える抽出液貯液槽と、外気と前記抽出液貯留槽と連通し抽出液を導入できる抽出部と、前記塵埃溜め部と前記抽出部に切換手段により選択的に接続できる内部流路と、前記内部流路に設けられたファンとを有し、前記塵埃溜め部と接続する内部流路が選択されたときには前記ファンにより塵埃が前記塵埃溜め部内に捕集され、前記抽出部と接続する内部流路が選択され且つ前記抽出部と接続する内部流路が前記塵埃溜め部の吸気側と接続されたときには、前記ファンにより抽出液が前記塵埃溜め部内に移送されて塵埃と前記抽出液が撹拌されることを特徴とするアレルゲン測定用被検液作成装置。
【請求項７】
内部流路に塵埃溜め部を装着するための装着部が設けられるとともに、前記塵埃溜め部の吸気側には接続部が設けられ、前記抽出部と接続する内部流路が選択されたときには前記塵埃溜め部が前記抽出部と接続する内部流路に前記接続部により接続されることを特徴とする請求項６に記載のアレルゲン測定用被検液作成装置。
【請求項８】
抽出液貯留槽は弁を介して抽出部に連通し、前記弁を開放して前記抽出液貯留槽の内部の抽出液を前記抽出部に導入することを特徴とする請求項５乃至７のいずれか１項に記載のアレルゲン測定用被検液作成装置。
【請求項９】
アレルゲンと接触した抽出液を、重力を利用して前記サンプリング用フィルタにより、アレルゲン抽出後の塵埃とアレルゲンを抽出した被検液とに分離することを特徴とする請求項５乃至８のいずれか１項に記載のアレルゲン測定用被検液作成装置。
【請求項１０】
前記ファンを制御する制御部を備え、前記制御部は塵埃の捕集、抽出および分離の動作を自動的に行うことを特徴とする請求項５乃至９のいずれか１項に記載のアレルゲン測定用被検液作成装置。
【請求項１１】
抽出の温度を一定に保持する温度保持装置を備え、前記制御部によって自動的に温度を制御することを特徴とする請求項１０に記載のアレルゲン測定用被検液作成装置。
【請求項１２】
前記塵埃溜め部が前記抽出部内に排気側を抽出液中に漬けて配設され、ファンによる排気側からの吸引で塵埃を捕集するとともに、切換手段により抽出部と接続する内部流路を選択したときには吸気側からの吸引で塵埃と前記抽出液を撹拌することを特徴とする請求項６に記載のアレルゲン測定用被検液作成装置。
【発明の詳細な説明】
【０００１】
【発明の属する技術分野】
本発明は、塵埃に含有されたアレルゲンの濃度分析をおこなうために必要な被検液を調製するアレルゲン測定用被検液作成方法及びアレルゲン測定用被検液作成装置に関する。
【０００２】
【従来の技術】
近年、抗原の一種であるアレルゲンが発症原因物質とされる花粉症等のアレルギー性鼻炎、アレルギー性気管支喘息、アトピー性皮膚炎等のいわゆるアレルギー症状が、先進諸国中心に増加傾向にあり、ダニ、花粉、動物の毛、カビ等の各種構成物質がその原因物質であることが特定されてきている。これらのアレルギー症状は比較的軽度の場合もあるが、アレルギー性気管支喘息のように死に至るほど重篤な場合もある。このため、感作、発症を抑制するための一つの手段として、各個人に特有な発症原因物質であるアレルゲンを低レベルに維持することが必要になってくる。しかし、現状ではアレルゲンの測定は比較的難しい高度な技術とされ、専門の測定技術者を必要とし、半日から１日かかる長い測定時間を必要とし、かつ高価な測定装置が必要である。ところで、環境中のアレルゲン濃度とアレルギー疾患の感作・発症は一般的に相関することが知られている。環境中のアレルゲン濃度の測定をおこなえば、掃除、洗濯等をどの程度おこなったり、どのくらいの頻度おこなえばよいのかの指標となり、アレルギー疾患患者やアレルギー疾患の感作の危険のある者にとって社会生活上有用なものとなる。また、アレルギー疾患患者の血液中のＩｇＥ抗体の濃度が即時型アレルギー反応のＩ型アレルギーの感作の程度の指標になることも一般に知られており、血液中のＩｇＥ抗体濃度の測定が感作の程度ひいてはアレルギー疾患の程度を知るための指標としてきわめて有用である。
【０００３】
これらアレルゲンは、各個人が長い時間を過ごす家庭・職場等の環境中に存在、例えば塵埃に付着または単独で存在するものであり、これらアレルゲンが各個人の家庭・職場等で分析可能であれば、対応が取り易くなり有用である。この家庭での分析を実現するには、測定方法の確立とともに、測定用被検液を作成する方法とその方法実現のための手段とを確立する必要が有る。
【０００４】
ここでアレルゲン測定用被検液を作成する従来の方法とその方法実現のための手段を説明する。例えば、免疫学的方法等で分析する目的でダニアレルゲンの測定用被検液を作成する場合には、下記（１）〜（３）の操作によりおこなわれている。
【０００５】
（１）畳、絨毯の一定面積を一定時間、掃除機で吸引し、塵埃を捕集する。
【０００６】
（２）捕集した塵埃を取り出し、緩衝液に浸漬し、攪拌操作をおこないながら抽出する。
【０００７】
（３）上記抽出液より測定時の阻害成分除去のため、分離をおこない被検液とする。
【０００８】
例えば、特開平８−３１３４０６号公報には、掃除機の吸引側に設置したスポンジ体に塵埃を捕集することが記載され、さらに特開平８−１７８８０７には、掃除機の吸引側に設けたスポンジ体で塵埃を捕集し、前記スポンジ体を抽出液を入れた収納容器内に収納し、外側から手で揉むことによりダニアレルゲンの測定用被検液を作成する方法が記載されている。
【０００９】
【発明が解決しようとする課題】
ところで、上述した従来のダニレルゲンの測定用被検液の作成方法には、次の４つの問題点を有していた。
【００１０】
（１）塵埃を捕集した捕集体を抽出液に移行させる際に塵埃がむき出しとなり埃が舞い上がるため、作業者がその埃に付着または単独で存在するアレルゲンを吸込んだり、埃に手が触れてしまい、不快かつ不衛生である。
【００１１】
（２）塵埃を捕集した捕集体を抽出液に移行させる際、また抽出液を手で揉むことにより抽出するため手間が掛かる。
【００１２】
（３）抽出液を手で揉むことにより抽出するため一定のアレルゲンの抽出ができず測定誤差の原因となる。
【００１３】
（４）抽出液に塵埃が直接触れるため、微細な懸濁物質が測定用被検液に含まれるため測定誤差の原因となる。
【００１４】
このような理由から、捕集条件、抽出条件、分離条件を一定にすることができ、一連のアレルゲン測定用被検液の作成を衛生的で、簡易に、精度高くしかも安価におこなえることが要求されている。
【００１５】
本発明は、捕集条件、抽出条件、分離条件を一定にして、一連のアレルゲン測定用被検液の作成を衛生的で、簡易に、精度高くしかも安価に行うためのアレルゲン測定用被検液作成方法、および、捕集条件、抽出条件、分離条件を一定にすることができ、一連のアレルゲン測定用被検液の作成を衛生的で、簡易に、精度高くしかも安価に行うことができるアレルゲン測定用被検液作成装置を提供することを目的とする。
【００１６】
【課題を解決するための手段】
上記課題を解決するために本発明のアレルゲン測定用被検液作成方法は、サンプリング用フィルタで塵埃を捕捉する捕集工程と、サンプリング用フィルタを抽出液に接触させて、捕捉した塵埃を懸濁させ、抽出液を空気の混入により攪拌して、捕捉した塵埃に含有されたアレルゲンを抽出液に抽出する抽出工程と、アレルゲン抽出後の塵埃をサンプリング用フィルタによって抽出液から分離してアレルゲンが溶解した被検液を作成する分離工程とを有する構成を備えている。
【００１７】
これにより、捕集条件、抽出条件、分離条件を一定にして、一連のアレルゲン測定用被検液の作成を衛生的で、簡易に、精度高くしかも安価に行うためのアレルゲン測定用被検液作成方法が得られる。
【００１８】
上記課題を解決するために本発明のアレルゲン測定用被検液作成装置は、サンプリング用フィルタが設けられ、排気側からの吸引により塵埃を含んだ空気から塵埃を分離できる塵埃溜め部と、外気と連通し抽出液を導入できる抽出部と、塵埃溜め部の排気側を前記抽出部内の抽出液中に浸漬したとき、逆方向からの吸引で抽出液を前記塵埃溜め部内に移して該抽出液と塵埃とを接触させるファンとを有する構成を備えている。
【００１９】
これにより、捕集条件、抽出条件、分離条件を一定にすることができ、一連のアレルゲン測定用被検液の作成を衛生的で、簡易に、精度高くしかも安価に行うことができるアレルゲン測定用被検液作成装置が得られる。
【００２０】
【発明の実施の形態】
本発明の請求項１に記載のアレルゲン測定用被検液作成方法は、サンプリング用フィルタで塵埃を捕捉する捕集工程と、サンプリング用フィルタを抽出液に接触させて、捕捉した塵埃を懸濁させ、抽出液を空気の混入により攪拌して、捕捉した塵埃に含有されたアレルゲンを抽出液に抽出する抽出工程と、アレルゲン抽出後の塵埃をサンプリング用フィルタによって抽出液から分離してアレルゲンが溶解した被検液を作成する分離工程とを有することとしたものであり、サンプリング用フィルタで塵埃が捕集され、空気撹拌によりアレルゲンが抽出液に抽出され、アレルゲン測定用被検液がサンプリング用フィルタにより分離されるようにしたので、捕集条件、抽出条件、分離条件が一定になり、またアレルゲンに手を接触させることなくサンプリング用フィルタによりアレルゲン測定用被検液が作成されることにより、一連のアレルゲン測定用被検液の作成を衛生的、簡易に、精度高くおこなえるという作用を有する。
【００２１】
請求項２に記載のアレルゲン測定用被検液作成方法は、請求項１に記載のアレルゲン測定用被検液作成方法において、サンプリング用フィルタの形状は、網状および不織布状のいずれか１種類の形状または両方が複合した形状であることとしたものであり、サンプリング用フィルタの開口率が高いため通気抵抗が小さく、捕集に必要な動力を小さく設定でき、安価にアレルゲン測定用被検液の作成がおこなわれるという作用を有する。
【００２２】
請求項３に記載のアレルゲン測定用被検液作成方法は、請求項１または２に記載のアレルゲン測定用被検液作成方法において、サンプリング用フィルタは、セルロース、ポリプロピレン、ナイロン、フッ素樹脂、ポリエチレン、ポリスチレン、アクリル樹脂、ステンレス、チタン、鉄、銅のいずれか１種類の材質または複数種類が複合した材質であることとしたものであり、汎用性がある材料で構成されるので、アレルゲン測定用被検液の作成が安価に、簡易に、精度高くおこなわれるという作用を有する。
【００２３】
請求項４に記載のアレルゲン測定用被検液作成方法は、請求項１乃至３の内いずれか１項に記載のアレルゲン測定用被検液作成方法において、サンプリング用フィルタの捕捉可能な粒径が１μｍ以上、１００μｍ以下であることとしたものであり、必要以上に吸気の抵抗となることなくかつ大部分のアレルゲンを捕捉可能であり、吸引するための動力を最小限とすることが可能であるから、安価にアレルゲン測定用被検液が作成されるという作用を有する。
【００２４】
請求項５に記載のアレルゲン測定用被検液作成装置は、サンプリング用フィルタが設けられ、排気側からの吸引により塵埃を含んだ空気から塵埃を分離できる塵埃溜め部と、抽出液を貯える抽出液貯液槽と、外気と前記抽出液貯留槽と連通し抽出液を導入できる抽出部と、塵埃溜め部の排気側を前記抽出部内の抽出液中に浸漬したとき、逆方向からの吸引で抽出液を前記塵埃溜め部内に移して該抽出液と塵埃とを接触させるファンとを有することとしたものであり、サンプリング用フィルタの排気側からの吸引で塵埃溜め部内に塵埃を溜め、この排気側を抽出液に浸漬し、塵埃と抽出液をファンで移送して接触させるので、一定の補足精度を有するサンプリング用フィルタにより、捕集条件，分離条件を安定化でき、またアレルゲンに手を接触させることなくサンプリング用フィルタによりアレルゲン測定用被検液を作成することができるので、一連のアレルゲン測定用被検液の作成を衛生的、簡易に、精度高くおこなえるという作用を有する。
【００２５】
請求項６に記載のアレルゲン測定用被検液作成装置は、サンプリング用フィルタが設けられ、塵埃を含んだ空気を排気側から吸引したときには塵埃を捕集し、排気側が抽出液中に浸漬されたときには吸気側から抽出液を吸引することにより捕集された塵埃と抽出液を混合することができる塵埃溜め部と、抽出液を貯える抽出液貯液槽と、外気と前記抽出液貯留槽と連通し抽出液を導入できる抽出部と、塵埃溜め部と抽出部に切換手段により選択的に接続できる内部流路と、内部流路に設けられたファンとを有し、塵埃溜め部と接続する内部流路が選択されたときにはファンにより塵埃が塵埃溜め部内に捕集され、抽出部と接続する内部流路が選択され且つ抽出部と接続する内部流路が塵埃溜め部の吸気側と接続されたときには、ファンにより抽出液が塵埃溜め部内に移送されて塵埃と抽出液が撹拌されることとしたものであり、塵埃の捕集動作と塵埃・抽出液撹拌動作が容易に切り換えられ、一連のアレルゲン測定用被検液の作成を衛生的、簡易に、精度高くおこなえるという作用を有する。
【００２６】
請求項７に記載のアレルゲン測定用被検液作成装置は、請求項６に記載のアレルゲン測定用被検液作成装置において、内部流路に塵埃溜め部を装着するための装着部が設けられるとともに、塵埃溜め部の吸気側には接続部が設けられ、抽出部と接続する内部流路が選択されたときには塵埃溜め部が抽出部と接続する内部流路に接続部により接続されることとしたものであり、塵埃溜め部の装着、接続が容易化され、内部流路の構成を容易化することができるという作用を有する。
【００２７】
請求項８に記載のアレルゲン測定用被検液作成装置は、請求項５乃至７のいずれか１に記載のアレルゲン測定用被検液作成装置において、抽出液貯留槽は弁を介して抽出部に連通し、前記弁を開放して前記抽出液貯留槽の内部の抽出液を前記抽出部に導入することとしたものであり、塵埃の捕集後、抽出液を自動的に供給することができるので、塵埃に使用者が触れることなく衛生的、簡易にアレルゲン測定用被検液の作成をおこなうことができるという作用を有する。
【００２８】
請求項９に記載のアレルゲン測定用被検液作成装置は、請求項５乃至８のいずれか１に記載のアレルゲン測定用被検液作成装置において、アレルゲンと接触した抽出液を、重力を利用してサンプリング用フィルタにより、アレルゲン抽出後の塵埃とアレルゲンを抽出した被検液とに分離することとしたものであり、塵埃の捕集後、抽出液を自動的に供給することができるので、塵埃に使用者が触れることなく衛生的、簡易に抽出液の作成をおこなうことができるという作用を有する。
【００２９】
請求項１０に記載のアレルゲン測定用被検液作成装置は、請求項５乃至９のいずれか１に記載のアレルゲン測定用被検液作成装置において、ファンを制御する制御部を備え、制御部は塵埃の捕集、抽出および分離の動作を自動的に行うこととしたものであり、捕集条件、抽出条件、分離条件を自動制御により一定にすることができるので、一連のアレルゲン測定用被検液の作成を精度高く、安価におこなうことができるという作用を有する。
【００３０】
請求項１１に記載のアレルゲン測定用被検液作成装置は、請求項１０に記載のアレルゲン測定用被検液作成装置において、抽出の温度を一定に保持する温度保持装置を備え、制御部によって自動的に温度を制御することとしたものであり、抽出条件の中でも特に大きな誤差要因となる抽出液の温度を一定とすることが可能であり、アレルゲン測定用被検液の作成を精度高くおこなうことができ、また、抽出液の温度を周囲温度よりも高く設定することで拡散速度の向上ひいては抽出時間の短縮が可能になるという作用を有する。
【００３１】
請求項１２に記載のアレルゲン測定用被検液作成装置は、請求項６に記載のアレルゲン測定用被検液作成装置において、塵埃溜め部が抽出部内に排気側を抽出液中に漬けて配設され、ファンによる排気側からの吸引で塵埃を捕集するとともに、切換手段により抽出部と接続する内部流路を選択したときには吸気側からの吸引で塵埃と抽出液を撹拌することとしたものであり、塵埃の捕集動作と塵埃・抽出液撹拌動作が、切換手段による内部流路の選択とファンの吸引により容易に行えるという作用を有する。
【００３２】
以下、本発明の実施の形態、実施例について図１〜図１１を参照しながら説明する。
【００３３】
（実施の形態１）
図１は本発明の実施の形態１によるアレルゲン測定用被検液作成装置を示す構成図であり、図２は図１のアレルゲン測定用被検液作成装置でのアレルゲン測定用被検液作成における捕集工程を示す捕集工程説明図、図３（ａ）〜（ｃ）は図１のアレルゲン測定用被検液作成装置でのアレルゲン測定用被検液作成における抽出工程を示す抽出工程説明図、図４は図１のアレルゲン測定用被検液作成装置での被検液作成における分離工程を示す分離工程説明図である。
【００３４】
図１〜図４において、１は直接塵埃に接触するサンプリング用ノズル、２はサンプリング用ノズル１から吸い込まれた塵埃を後述の内部吸気路４Ａを介して後述のサンプリング用フィルタ６に移送するための外部吸気路、３は塵埃のうち測定誤差となる比較的大きなものを除去するためのスクリーニング用フィルタである。４Ａ〜４Ｄは内部吸気路（本発明の内部流路）で、内部吸気路４Ａの一端は外部吸気路２とテーパ接続等により着脱自在に接続され、他端は後述の抽出液溜め７内の後述の塵埃溜め５とテーパ接続等により着脱自在に接続され、前記２点の接続部の間で内部吸気路４Ｄと接続されている。内部吸気路４Ｂの一端は抽出液溜め７に接続され、他端は後述の捕集抽出切替用弁８に接続されている。内部吸気路４Ｃの一端は捕集抽出切替用弁８に接続され、他端は後述のフィルタバッグ固定用ジョイント９を介して後述のフィルタバッグ１０と着脱自在に接続されている。内部吸気路４Ｄの一端は内部吸気路４Ａと接続され、他端は捕集抽出切替用弁８に接続されている。５はサンプリング用フィルタ６を固定した略円筒状の塵埃溜め（本発明の塵埃溜め部）、６は塵埃を捕集・抽出・分離するためのサンプリング用フィルタ、７は塵埃からアレルゲンを抽出して作成した被検液を貯留する抽出液溜め（本発明の抽出部）、８は内部吸気路の流路を制御する捕集抽出切替用弁（本発明の切換手段）、９は後述のフィルタバッグ１０を固定するためのフィルタバッグ固定用ジョイント、１０はサンプリング用フィルタ６で捕集しきれなかった微細な塵埃を除去するフィルタバッグ、１１は吸引力を発生するための吸引ファン（本発明のファン）、１２はフィルタバッグ１０で捕集しきれなかった微細な塵埃を除去する最終フィルタ、１３は排気を排出する排気口、１４は抽出液を貯えておくための抽出液貯液槽、１５は抽出液・吸気を移送、導入するための抽出液吸気導入管、１６は抽出液貯液槽１４内の抽出液の抽出液溜め７への移送を制御するための抽出用弁、１７は作成した被検液を取り出すための被検液採取用内部配管、１８は被検液採取用ポート、１９は被検液採取用シリンジ、２０は分離のためのフィルタを内蔵した分離用フィルタ、２１は筐体、２２は本体の移動用のハンドル、２３はフィルタバッグ１０の交換のためのフィルタバッグ交換用扉、２４は抽出液溜めのメンテナンスのための抽出液溜めメンテナンス用扉、２５は本体の移動用の移動用キャスター、３１はコンセント、３２は電線、３３はＡＣ／ＤＣコンバータ、３４は一連の吸引装置の動作、自動化、温度の制御をするための制御部、３５は演算部、３６はスイッチである。図１〜図４に示すように、塵埃溜め５は、上側に開放部が形成され、下側にサンプリング用フィルタ６が抽出液と接触できる高さに取り付けらている。
【００３５】
以上のように構成されたアレルゲン測定用被検液作成装置について、その機能、動作等を図２〜図６を用いて説明する。図５は図１のアレルゲン測定用被検液作成装置の塵埃溜めと抽出液溜めを示す断面図、図６はダニアレルゲンｒＤｅｒｆ  ＩＩの検量線を示すグラフ図である。図５において、塵埃溜め５、サンプリング用フィルタ６、抽出液溜め７とは図１と同様のものなので、同一符号を付し、説明は省略する。５１は抽出液溜め７と塵埃溜め５が設置された状態において抽出液溜め７と塵埃溜め５の間に空気、液体が流通する為の間隙を形成するための開口形成用脚、５２は塵埃溜め５の一端にサンプリング用フィルタ６を通気性、通液性を維持しながら固定する支持体、７０は抽出液である。
【００３６】
図１において、外部吸気路２は塵埃のサンプリングが容易なように例えば蛇腹式等の軟質の合成樹脂を使用することが好ましい。また、スクリーニング用フィルタ３は掃除がし易いように、脱着自在に構成されている。そして、スクリーニング用フィルタ３が捕捉する最低粒径は０．１ｍｍ以上、３ｍｍ以下とすることにより、捕集する塵埃中の測定誤差となる比較的大きな塵埃を除去し、後の抽出等の操作を容易かつ安定にすることができる。より好ましくは０．２ｍｍ以上、１ｍｍ以下の範囲である。形状は網状、不織布状等のいずれか１種類のものまたは両方（複数種類）が複合したものが使用でき、材質はセルロース、ポリプロピレン、ナイロン、フッ素樹脂、ポリエチレン、ポリスチレン、アクリル樹脂、ステンレス、チタン、鉄、銅等のいずれか１種類のものまたは複数種類が複合したものが使用できる。この複合の形態としては、スクリーニング用フィルタ３を２層以上で構成し、各層の捕捉する最低粒径、材質、形状を変えること等が考えられる。
【００３７】
内部吸気路４Ａ〜４Ｄ、塵埃溜め５、サンプリング用フィルタ６、抽出液溜め７、捕集抽出切替用弁８は空気の混入による攪拌でアレルゲンを抽出液中に抽出する主要構成を成すものであり、内部吸気路４Ａ〜４Ｄ、塵埃溜め５、サンプリング用フィルタ６、抽出液溜め７はアレルゲン抽出後の塵埃と被検液を分離する主要構成を成すものである。サンプリング用フィルタ６の捕捉する最低粒径は１μｍ以上、１００μｍ以下とすることにより、捕集する塵埃中のアレルゲンの大部分を捕捉することができ、抽出操作後の分離操作にも適用することができる。より好ましくは１０μｍ以上、６０μｍ以下の範囲である。サンプリング用フィルタ６の形状は網状、不織布状等のいずれか１種類のものまたは複数種類が複合したものが使用でき、材質はセルロース、ポリプロピレン、ナイロン、フッ素樹脂、ポリエチレン、ポリスチレン、アクリル樹脂、ステンレス、チタン、鉄、銅等のいずれか１種類のものまたは複数種類が複合したものが使用できる。この複合の形態としては、サンプリング用フィルタ６を２層以上で構成し、各層の捕捉する最低粒径、材質、形状を変えること等が考えられる。また、サンプリング用フィルタ６は、抽出液溜め７側を負圧にすると外部吸気配管２から吸引した塵埃を分離できるが、抽出液を抽出液溜め７に注いだ後、逆に塵埃溜め５側を負圧にすると、抽出液溜め７に送られた抽出液に空気を混入させ攪拌できるものである。捕集抽出切替用弁８は手動弁であっても自動弁であっても使用することができる。
【００３８】
フィルタバッグ１０が捕捉する最低粒径は０．１μｍ以上、１μｍ以下とすることにより、サンプリング用フィルタ６を通過した微細な塵埃ひいてはアレルゲンの大部分を捕捉することができる。より好ましくは０．２μｍ以上、０．５μｍ以下の範囲である。形状は網状、不織布状等のいずれか一種類または複数が複合したものが使用でき、材質はセルロース、ポリプロピレン、ナイロン、フッ素樹脂、ポリエチレン、ポリスチレン、アクリル樹脂、ステンレス、チタン、鉄、銅等のいずれか１種類のものまたは複数種類が複合したものが使用できる。複合の形態としては、２層以上で構成し各層の捕捉する最低粒径、材質、形状を変えること等が考えられる。また、フィルタバッグ１０の形態は通気抵抗を低下させるためにプリーツ状、蛇腹状等の形態を適用し表面積を大きくする構造をとり通気抵抗を極力小さくすることが好ましい。
【００３９】
また、最終フィルタ１２は通気抵抗を低下させるためにプリーツ状、蛇腹状等の形態を適用し表面積を大きくする構造をとることが好ましい。そして、最終フィルタ１２が捕捉する最低粒径は０．１μｍ以上、１μｍ以下とすることにより、フィルタバッグ１０を通過した微細な塵埃ひいてはアレルゲンの大部分を捕捉することができる。より好ましくは０．２μｍ以上、０．５μｍ以下の範囲である。形状は網状、不織布状等のいずれか１種類のものまたは複数種類が複合したものが使用でき、材質はセルロース、ポリプロピレン、ナイロン、フッ素樹脂、ポリエチレン、ポリスチレン、アクリル樹脂、ステンレス、チタン、鉄、銅等のいずれか１種類のものまたは複数種類が複合したものが使用できる。この複合の形態としては、最終フィルタ１２を２層以上で構成し各層の捕捉する最低粒径、材質、形状を変えること等が考えられる。また、複合の形態は通気抵抗を低下させるためにプリーツ状、蛇腹状等の形態を適用し表面積を大きくする構造をとり通気抵抗を極力小さくすることが好ましい。最終フィルタ１２はフィルタバッグ１０が排出すべきでないアレルゲンを十分に捕捉可能な場合は省略することが可能である。
【００４０】
図１において、前述の通り、抽出液貯液槽１４、抽出液吸気導入管１５、抽出用弁１６は抽出液を送り込む主要構成を成している。そして、抽出用弁１６は自動化のために自動弁が採用されている。しかし、手動で切り替えをおこなう手動弁であってもよい。また、前述の通り、被検液採取用内部配管１７、被検液採取用ポート１８、被検液採取用シリンジ１９、分離用フィルタ２０は抽出液を採取する主要構成である。そして、吸引ファン１１と内部吸気路４Ａ〜４Ｄと捕集抽出切替用弁８とは、捕集抽出切替用弁８を切り替えることにより、塵埃溜め５側と抽出液溜め７側を選択的に負圧にする吸引装置となっている。塵埃溜め５のサンプリング用フィルタ６が、塵埃を捕集する場合の排気側となる抽出液溜め７側を塵埃溜め５の排気側と定義することにする。また、これとは逆の方向を吸引側と称することにする。そして、抽出液溜め７に溜まった被検液を被検液採取用ポート１８、分離用フィルタ２０を介して被検液採取用内部配管１７に接続した被検液採取用シリンジ１９のピストンを引っ張ることで被検液採取用シリンジ１９の内部に負圧を発生させ、抽出液溜め７に溜まった被検液を被検液採取用シリンジ１９内に移送する。この際分離用フィルタ２０で被検液中の懸濁物質と被検液を分離する。
【００４１】
ここで、サンプリング用フィルタ６が固定された塵埃溜め５と抽出液溜め７とについて図５に基づいて説明する。まず、図５の抽出液の状態は塵埃溜め５の上部が負圧となり、当初抽出液溜め７と塵埃溜め５に満たされていた抽出液７０の大部分が空気の混入により塵埃溜め５に移行した状態を示している。
【００４２】
次に、アレルゲン測定用被検液作成の各工程について説明する。図１のアレルゲン測定用被検液作成装置においては、▲１▼捕集工程と▲２▼抽出工程と▲３▼分離工程と▲４▼採取工程との４段階の工程によりアレルゲン測定用被検液を作成する。
【００４３】
▲１▼捕集工程
これは測定対象である塵埃を一定条件でサンプリング用フィルタ６上に捕集する工程である。図２に示すように、あらかじめ抽出用弁１６を閉じた状態で所定量の抽出液７０を抽出液貯液槽１４に注入し、捕集抽出切替用弁８は内部吸気路４Ｂと内部吸気路４Ｃが導通するように設定する。スイッチ３６により吸引ファン１１を起動して負圧を発生させ、一定時間、一定面積の条件でサンプリング用ノズル１を測定対象物に接触させ、測定対象物に付着している塵埃の大部分を外部吸気路２、スクリーニング用フィルタ３、内部吸気路４Ａ、塵埃溜め５を介してサンプリング用フィルタ６上に捕集し、大部分の塵埃が取り除かれた空気はさらに抽出液溜め７、内部吸気路４Ｂ、捕集抽出切替用弁８、内部吸気路４Ｃ、フィルタバッグ１０、吸引ファン１１、最終フィルタ１２、排気口１３を通過して系外に排出される。この際、微細なアレルゲンはフィルタバッグ１０または最終フィルタ１２で捕捉され、系外にアレルゲンを撒き散らさない。
【００４４】
抽出液７０は、ｐＨを一定に保持するとともに、主に蛋白質であるアレルゲンの変性を抑制する為にｐＨの緩衝作用を有する緩衝液であり、好ましくはりん酸緩衝液、ホウ酸緩衝液等である。より好ましくは緩衝液に主に蛋白質であるアレルゲンの変性を抑制する為に浸透圧を一定に保持する作用を有する塩である塩化ナトリウム、塩化カリウム、界面活性作用により主に蛋白質であるアレルゲンの抽出作用を有する界面活性剤等を混合して使用するのが適当である。界面活性剤はポリオキシエチレン（２０）ソルビタンモノラウレート、ポリオキシエチレン（８０）ソルビタンモノラウレート等を含有させたものが適当である。界面活性剤の濃度は好ましくは０．００１Ｗ／Ｖ％以上、１Ｗ／Ｖ％以下にすることにより、アレルゲン等を効率的に抽出することができる。より好ましくは０．０１Ｗ／Ｖ％以上、０．２Ｗ／Ｖ％以下の範囲である。緩衝液のｐＨは好ましくはｐＨ５以上、ｐＨ９以下にすることにより安定な抽出ができる。より好ましくはｐＨ６以上、ｐＨ８以下の範囲である。また、抽出液７０の液量は１ｍＬ（ミリリットル）以上、２００ｍＬ以下とすることにより測定に必要な液量とアレルゲン濃度を確保することができる。より好ましくは５ｍＬ以上、２０ｍＬの範囲である。ここで捕集する時間は好ましくは１０秒間以上、１０分間以下で一定とすることにより、一定条件下で塵埃ひいてはアレルゲンの測定に必要な量を捕集することができる。より好ましくは３０秒間以上、５分間以下の範囲である。また、捕集する面積は好ましくは０．１ｍ２以上、１０ｍ２以下で一定とすることにより、一定条件下で塵埃ひいてはアレルゲンの測定に必要な量を捕集することができる。より好ましくは０．５ｍ２以上、２ｍ２以下の範囲である。
【００４５】
▲２▼抽出工程
これは測定対象である塵埃から一定条件でアレルゲンを抽出液７０に抽出する工程である。抽出工程は、第１の抽出工程と第２の抽出工程とから構成される。
【００４６】
まず第１の抽出工程について説明する。第１の抽出工程は抽出液７０を抽出液溜め７に流入させる工程である。スイッチ３６により吸引ファン１１を停止した状態で、図３（ａ）に示すように、抽出用弁１６を開放して、抽出液７０を抽出液溜め７に流入させる。すると、図３（ｂ）に示すように、抽出液溜め７と塵埃溜め５に抽出液が満たされ、サンプリング用フィルタ６上の塵埃は抽出液７０により浸漬された状態となる。捕集抽出切替用弁８は内部吸気路４Ｄと４Ｃを導通させた状態に切替える。
【００４７】
次に第２の抽出工程について説明する。第２の抽出工程は抽出液７０を空気の混入で攪拌し、サンプリング用フィルタ６に捕捉された塵埃からアレルゲンを抽出する工程である。スイッチ３６により吸引ファン１１を起動し、一定時間運転する。図３（ｃ）に示すように、この際、一部の吸気は、抽出液貯液槽１４上部に設けた抽出液充填用の開口部から入り、抽出液吸気導入管１５、抽出用弁１６を介して抽出液溜め７ひいてはサンプリング用フィルタ６に到達し、抽出液７０の大部分はサンプリング用フィルタ６より上部すなわち塵埃溜め５内に移行した状態で空気が吹き込まれて接触、攪拌される。その排気は内部吸気路４Ａ、内部吸気路４Ｄ、捕集抽出切替用弁８、内部吸気路４Ｃを介してフィルタバッグ１０、吸引ファン１１、最終フィルタ１２、排気口１３を通過して系外に排出される。また、一部の吸気はサンプリング用ノズル１より流入し、外部吸気路２、内部吸気路４Ｄ、捕集抽出切替用弁８、内部吸気路４Ｃを介してフィルタバッグ１０、吸引ファン１１、最終フィルタ１２、排気口１３を通過して系外に排出される。この際、微細なアレルゲンは最終フィルタ１２で捕捉され、系外にアレルゲンを撒き散らさない。この際、フィルタバッグ１０に空気は通過するが微細なアレルゲンは通過しない仕様のフィルタを採用すると最終フィルタ１２を省略することも可能である。
【００４８】
ここで上述の空気の混入による攪拌は抽出液が塵埃溜め５から吸引側に移行しない程度の強さでおこなう必要がある。もし空気の混入による攪拌が強すぎると抽出液の系外への流出が生じることになる。そこで、空気の混入による攪拌の強さを調整できるように抽出液貯液槽１４上部に設けた抽出液充填用の開口部の開口面積を調整できるように構成したり、攪拌専用の吸引ファンを設置したり、塵埃溜め５の内側上部に邪魔板を設置したりすることで、より安定した空気の混入による攪拌をおこなうことができる。また、空気の混入による攪拌以外にも空気と抽出液の接触と同時に様々な攪拌方式を適用することができる。例えば、吸引力を利用する方法であれば、吸引力により羽根車を回転させこの回転運動を同軸またはギヤ等を使用して、抽出液内に設置した攪拌用プロペラに伝達する方法や、抽出液上部に空気の流路を偏心させて形成して抽出液を回転させる方法等が適用できる。その他にも、独立したモータを設置しその回転運動を同軸またはギヤ等を使用して、抽出液内に設置した攪拌用プロペラに伝達する方法等を適用することができる。
【００４９】
抽出液７０は空気の混入で攪拌される際に、物理的な攪拌作用を受け、抽出液７０と塵埃の接触機会が増えることでサンプリング用フィルタ６上に捕捉した塵埃からアレルゲンが抽出液７０に溶解され易くなる。ここで抽出する時間は好ましくは１０秒間以上、３０分以下で一定とすることにより、一定条件下で塵埃ひいては測定に必要な量のアレルゲンを抽出することができる。より好ましくは３０秒間以上、５分間以下の範囲である。
【００５０】
抽出時間をより早めたり、抽出条件を一定化するために、抽出液の温度調整機構（温度保持装置（図示せず）および制御部３４）を設けることも可能である。より詳細には、熱源にペルチェ素子、電熱線ヒータ等を使用し、温度検出に熱電対、サーミスタ、白金測温体等を使用し、検出した温度により熱源を起動・停止して設定温度を保持する制御部３４よりなる温度調整機構である。また、設定温度は好ましくは５℃以上、４５℃以下で一定とすることにより、抽出時間をより早めたり、抽出条件を一定化することができる。より好ましくは３０℃以上、４０℃以下の範囲である。
【００５１】
測定全体をより簡便にしたり、測定精度を向上させるために、アレルゲン自体を測定するアレルゲン測定器を本実施の形態によるアレルゲン測定用被検液作成装置に組み込むことも可能である。
【００５２】
▲３▼分離工程
分離工程は測定対象である塵埃からの抽出液７０をサンプリング用フィルタ６により塵埃とアレルゲンを抽出した被検液とに分離する工程である。スイッチ３６により吸引ファン１１を停止する。図４に示すように、抽出液７０は負圧が解除され開放となる為、塵埃溜め５内に保持された状態から抽出液溜め７に重力で流下する。この際、サンプリング用フィルタ６により、塵埃とアレルゲンを抽出した被検液とに分離されてアレルゲン測定用被検液となり、抽出液溜め７に溜まる。
【００５３】
▲４▼採取工程
採取工程は作成されたアレルゲン測定用被検液を測定用に採取する工程である。抽出液溜め７を外してアレルゲン測定用被検液を取り出し、測定に供する。または、例えば図１の被検液採取用内部配管１７、被検液採取用ポート１８、被検液採取用シリンジ１９からなる被検液を採取する機構によりアレルゲン測定用被検液を取り出し、測定に供する。アレルゲン測定用被検液に分離精度がさらに必要な場合には、例えば分離用フィルタ２０を被検液採取用ポート１８と被検液採取用シリンジ１９との間に設置して分離することもできる。
【００５４】
被検液採取用シリンジ１９から取り出した被検液はサンドイッチＥＬＩＳＡ法等の手法を使ってアレルゲンの濃度を測定することができる。例えば図６はダニアレルゲンｒＤｅｒ  ｆ  ＩＩの検量線を示すグラフ図であるが、このように作成した検量線により、アレルゲンの濃度を測定することができる。図６の縦軸のＡｂｓ（−、４９０ｎｍ）は４９０ｎｍの吸光度を示す。
【００５５】
ところで、本実施の形態では、アレルゲンの被検液作成のための一連の操作を自動化するために制御部３４が設けられている。制御部３４はマイクロコンピュータ等からソフトウェア的に構成されるもので、当初ファン１１を駆動して抽出液溜め７側を吸引して、サンプリング用フィルタ６に塵埃を捕集し、次いでファン１１を停止するとともに、抽出用弁１６を開放して抽出液貯液槽１４内の抽出液を抽出液溜め７に移行させ、次いで捕集抽出切替用弁８を切り替えてファン１１を駆動して塵埃溜め５側を吸引し、この負圧により抽出液に空気の混入をおこなって抽出液の攪拌をおこない、サンプリング用フィルタ６上の塵埃からアレルゲンを抽出液に溶解させる。次いで制御部３４は、ファン１１を停止し、上記抽出液から、アレルゲンが溶解した塵埃をサンプリング用フィルタ６により分離する。この様に制御部３４はアレルゲンの被検液作成のための一連の操作を自動的におこなうことができる。なお、制御部３４はソフトウェア的に動作するとしたが、ハードウェア的な回路の組合わせでも制御部３４の動作を実現することができる。
【００５６】
以上のように本実施の形態によれば、捕集条件、分離条件は一定の捕捉精度を有するサンプリングフィルタにより安定化され、抽出条件は各撹拌手段により一定の撹拌強度を与えることができ、一連のアレルゲン測定用被検液の作成を衛生的、簡易に、精度高くしかも安価におこなうことができる。
【００５７】
（実施の形態２）
図７は本発明の実施の形態２によるアレルゲン測定用被検液作成装置を示す構成図であり、図８（ａ）、（ｂ）、（ｃ）は図７のアレルゲン測定用被検液作成装置での被検液作成における抽出工程を示す抽出工程説明図、図８（ｄ）は図７のアレルゲン測定用被検液作成装置での被検液作成における分離工程を示す分離工程説明図である。
【００５８】
図７、図８において、サンプリング用ノズル１、外部吸気路２、スクリーニング用フィルタ３、サンプリング用フィルタ６、フィルタバッグ固定用ジョイント９、フィルタバッグ１０、吸引ファン１１、最終フィルタ１２、排気口１３、抽出用弁１６、筐体２１、ハンドル２２、フィルタバッグ交換用扉２３、コンセント３１、電線３２、ＡＣ／ＤＣコンバータ３３、制御部３４、演算部３５、スイッチ３６、抽出液７０は図１、図２と同様のものなので、同一符号を付し、説明は省略する。４は内部吸気路（本発明の内部流路）、５Ａは外部に開放された開放部が形成され、サンプリング用フィルタ６が底面をなすように取り付けられた塵埃溜め（本発明の塵埃溜め部）、７Ａは内部吸気路４の上方に形成された抽出液溜め（本発明の抽出部）、２６は抽出用吸気路（本発明の内部流路）、２７は抽出用継手（本発明の接続部）である。なお、内部吸気路４の端部には装着部が設けられ（図示しない）、塵埃溜め５Ａを装着できるようになっている。
【００５９】
以上のように構成されたアレルゲン測定用被検液作成装置の機能、動作等について、図７、図８を用いて説明する。
【００６０】
図７において、抽出用弁１６は吸引ファン１１により発生した負圧を内部吸気路４と抽出用吸気路２６と抽出用継手２７とを介して塵埃溜め５Ａへ伝達するものであり、吸引ファン１１、内部吸気路４、抽出用弁１６、抽出用吸気路２６、抽出用継手２７、塵埃溜め５Ａ、サンプリング用フィルタ６、抽出液溜め７Ａは抽出をおこなうための主要構成を成している。さらに、塵埃溜め５Ａ、サンプリング用フィルタ６、抽出液溜め７Ａは、アレルゲン抽出後の塵埃とアレルゲン測定用被検液とを分離する主要構成を成すものである。そして、抽出用弁１６は手動で切り替えをおこなう手動弁が採用されている。しかし、自動化のために自動弁を使用してもよい。
【００６１】
次に、アレルゲン測定用被検液作成の各工程について説明する。図７のアレルゲン測定用被検液作成装置は、▲１▼捕集工程と▲２▼抽出工程と▲３▼分離工程と▲４▼採取工程との４段階の工程によりアレルゲン測定用被検液を作成する。
【００６２】
▲１▼捕集工程
捕集工程は測定対象である塵埃を一定条件でサンプリング用フィルタ６上に捕集する工程である。図７に示すように、あらかじめ塵埃溜め５Ａを外部吸気路２と内部吸気路４に装着し、抽出用弁１６を閉じた状態でスイッチ３６により吸引ファン１１を起動して排気側に負圧を発生させ、一定時間、一定面積の条件でサンプリング用ノズル１を測定対象物に接触させ、測定対象物に付着している塵埃の大部分を外部吸気路２、スクリーニング用フィルタ３、塵埃溜め５Ａを介してサンプリング用フィルタ６上に捕集し、大部分の塵埃が取り除かれた空気はさらに内部吸気路４、フィルタバッグ１０、吸引ファン１１、最終フィルタ１２、排気口１３を通過して系外に排出される。この際、微細なアレルゲンはフィルタバッグ１０または最終フィルタ１２で捕捉され、系外にアレルゲンを撒き散らさない。ここで捕集する時間は好ましくは１０秒間以上、１０分間以下で一定とすることにより、一定条件下で塵埃ひいてはアレルゲンを測定に必要な量だけ捕集することができる。より好ましくは３０秒間以上、５分間以下の範囲である。また、捕集する面積は好ましくは０．１ｍ２以上、１０ｍ２以下で一定とすることにより、一定条件下で塵埃ひいてはアレルゲンを測定に必要な量、捕集することができる。より好ましくは０．５ｍ２以上、２ｍ２以下の範囲である。
【００６３】
▲２▼抽出工程
抽出工程は測定対象である塵埃から一定条件でアレルゲンを抽出液７０に抽出する工程であり、第１の抽出工程と第２の抽出工程とから構成される。
【００６４】
まず第１の抽出工程について説明する。第１の抽出工程は抽出液７０を抽出液溜め７Ａに注ぐ工程である。スイッチ３６により吸引ファン１１を停止した状態で、図８（ａ）に示すように、塵埃を捕集した塵埃溜め５Ａとサンプリング用フィルタ６を抽出液溜め７Ａに設置し、抽出液７０を塵埃溜め５Ａを介して注ぐ。サンプリング用フィルタ６上の塵埃は抽出液７０により浸漬され、以降の操作で気相に移行し難くなる。さらに、図８（ｂ）に示すように、抽出用継手２７を塵埃溜め５Ａに連結して、抽出用弁を開ける。
【００６５】
次に第２の抽出工程について説明する。第２の抽出工程は抽出液７０を空気の混入で攪拌し、サンプリング用フィルタ６に捕捉された塵埃からアレルゲンを抽出する工程である。スイッチ３６により吸引ファン１１を起動し、一定時間排気側とは逆方向に運転する。図８（ｃ）に示すように、この際、一部の吸気は、抽出液溜め７Ａから入り、サンプリング用フィルタ６に到達し、抽出液７０の大部分はサンプリング用フィルタ６より上部すなわち塵埃溜め５Ａ内に移行した状態で空気が吹き込まれて攪拌される。その排気は内部吸気路４を介してフィルタバッグ１０、吸引ファン１１、最終フィルタ１２、排気口１３を通過して系外に排出される。また、一部の吸気はサンプリング用ノズル１より流入し、外部吸気路２、スクリーニング用フィルタ３、内部吸気路４を介してフィルタバッグ１０、吸引ファン１１、最終フィルタ１２、排気口１３を通過して系外に排出される。この際、微細なアレルゲンは最終フィルタ１２で捕捉され、系外にアレルゲンを撒き散らさない。この際、フィルタバッグ１０に空気は通過するが微細なアレルゲンは通過しない仕様のフィルタを採用すると最終フィルタ１２を省略することも可能である。
【００６６】
ここで上述の空気の混入による攪拌は抽出液が塵埃溜め５Ａから吸引側に移行しない程度の強さでおこなう必要がある。もし空気の混入による攪拌が強すぎると抽出液の系外への流出が生じることになる。そこで、攪拌専用の吸引ファンを設置したり、塵埃溜め５Ａの内側上部に邪魔板を設置したりすることで、より安定した空気の混入による攪拌をおこなうことができる。また、空気の混入による攪拌以外にも、空気と抽出液の接触と同時に、様々な攪拌方式を適用することができる。例えば、吸引力を利用する方法であれば、吸引力により羽根車を回転させこの回転運動を同軸またはギヤ等を使用して、抽出液内に設置した攪拌用プロペラに伝達する方法や、抽出液上部に空気の流路を偏心させて形成して抽出液を回転させる方法等が適用できる。その他にも、独立したモータを設置しその回転運動を同軸またはギヤ等を使用して、抽出液７０内に設置した攪拌用プロペラに伝達する方法等を適用することができる。抽出液７０は空気の混入で攪拌される際に、物理的な攪拌作用を受け、抽出液と塵埃の接触機会が増えることでサンプリング用フィルタ６上に捕捉した塵埃からアレルゲンが抽出液７０に溶解され易くなる。ここで抽出する時間は好ましくは１０秒間以上、３０分以下で一定とすることにより、一定条件下で塵埃ひいては測定に必要な量のアレルゲンを抽出することができる。より好ましくは３０秒間以上、５分間以下の範囲である。また、測定全体をより簡便にしたり、測定精度を向上させるために、アレルゲン測定器を本実施の形態によるアレルゲン測定用被検液作成装置に組み込むことも可能である。
【００６７】
▲３▼分離工程
分離工程は測定対象である塵埃からの抽出液７０をサンプリング用フィルタ６により塵埃と前記アレルゲンを抽出した被検液とに分離する工程である。スイッチ３６により吸引ファン１１を停止し、抽出用継手２７を塵埃溜め５Ａから外す。図８（ｄ）に示すように抽出液７０は負圧が解除され開放となる為、塵埃溜め５Ａ内に保持された状態から抽出液溜め７Ａに重力で流下する。この際、サンプリング用フィルタ６により塵埃と前記アレルゲンを抽出した被検液とに分離されてアレルゲン測定用被検液となり抽出液溜め７Ａに溜まる。
【００６８】
▲４▼採取工程
採取工程は作成されたアレルゲン測定用被検液を測定用に採取する工程である。抽出液溜め７Ａを外してアレルゲン測定用被検液を取り出し、測定に供する。競合法等サンプルの清澄性があまり必要とされない場合にはこの工程を省略することも可能である。なお、制御部３４はソフトウェア的に動作するとしたが、ハードウェア的な回路の組合わせでも制御部３４の動作を実現することができる。
【００６９】
本実施の形態２によれば、捕集条件、分離条件は一定の捕捉精度を有するサンプリングフィルタにより安定化され、抽出条件は各撹拌手段により一定の撹拌強度を与えることができ、一連のアレルゲン測定用被検液の作成を衛生的、簡易に、精度高くしかも安価におこなうことができる。
【００７０】
【実施例】
（実施例１）
本実施例では、コナヒョウヒダニ（Ｄｅｒｍａｔｏｆａｇｏｉｄｅｓ  ｆａｒｉｎａｅ）のアレルゲンであるＤｅｒ  ｆ  ＩＩを含む含有量が既知の培地を一定量ずつ撒いた状態の絨毯からアレルゲン測定用被検液を作成した。本実施例では図１のアレルゲン測定用被検液作成装置を使用し、４段階の工程（▲１▼捕集工程、▲２▼抽出工程、▲３▼分離工程、▲４▼採取工程）によりアレルゲン測定用被検液を作成する。あらかじめコナヒョウヒダニを繁殖させた培地を１μｇ−Ｄｅｒ  ｆ  ＩＩ／ｍ２から０．００５μｇ−Ｄｅｒ  ｆ  ＩＩ／ｍ２となるように絨毯に散布したものを試験に供した。
【００７１】
図９はダニアレルゲンＤｅｒ  ｆ  ＩＩの塵埃における粒径分布例を示すグラフ図であり、図１０は実施例１において散布したダニアレルゲンの設定値と図１のアレルゲン測定用被検液作成装置を使用したダニアレルゲンの測定値との関係を示すグラフ図である。つまり、図１０には、前記絨毯に散布したダニアレルゲンの設定値と図１のアレルゲン測定用被検液作成装置により作成した被検液のサンドイッチＥＬＩＳＡ法によるダニアレルゲンの測定値との関係が示されている。
【００７２】
▲１▼捕集工程
あらかじめ抽出用弁１６が閉じた状態で、抽出液としてダルベッコりん酸緩衝生理食塩水に０．０５ｗ／ｖ％ポリオキシエチレン（２０）ソルビタンモノラウレートを含有し、ｐＨ７．４±０．２の溶液（以下ＰＢＳ−Ｔ）１０ｍＬを抽出液貯液槽１４に注入した。抽出用弁１６は自動弁を使用した。
【００７３】
捕集抽出切替用弁８は内部吸気路４Ｂと４Ｃを導通させた状態で、スイッチ３６により吸引ファン１１を起動し１．２ｍ３／分で吸気しながら、測定対象となる部位をサンプリング用ノズル１で２分間、１ｍ２の条件で操作した。サンプリング用ノズル１から吸い込まれた塵埃の大部分を外部吸気路２、スクリーニング用フィルタ３、内部吸気路４Ａ、塵埃溜め５を介してサンプリング用フィルタ６上に捕集し、大部分の塵埃が取り除かれた空気はさらに抽出液溜め７、内部吸気路４Ｂ、捕集抽出切替用弁８、内部吸気路４Ｃ、フィルタバッグ１０、吸引ファン１１、排気口１３を通過して系外に排出された。この際、微細なアレルゲンはフィルタバッグ１０で捕捉した。
【００７４】
本実施例では、スクリーニング用フィルタ３が捕捉する最低粒径は０．３ｍｍで網状、ステンレスのものを使用した。また、サンプリング用フィルタ６が捕捉する最低粒径は２５μｍで網状、ステンレス、直径２５ｍｍのものを使用した。ここで、サンプリング用フィルタ６が捕捉する最低粒径を２５μｍとしたのは、事前の調査結果である図９に示すように、塵埃中のダニアレルゲンＤｅｒ  ｆ  ＩＩの粒径分布は２５μｍ以上のところに大部分が存在することが判明していたからである。また、フィルタバッグ１０が捕捉する最低粒径は０．３μｍで不織布状、セルロースのものを使用した。なお、最終フィルタ１２はフィルタバッグ１０が排出すべきでないアレルゲンを十分に捕捉可能であるため設置しなかった。
【００７５】
▲２▼抽出工程
抽出工程は前述の通り、第１の抽出工程と第２の抽出工程とから構成される。
【００７６】
まず第１の抽出工程について説明する。第１の抽出工程は抽出液７０を抽出液溜め７に流入させる工程である。まず抽出用弁１６を開放して、抽出液７０を抽出液溜め７に流入させた。この後、サンプリング用フィルタ６は抽出液７０により浸漬された状態とした。捕集抽出切替用弁８は内部吸気路４Ｄと４Ｃを導通させた状態に切替える。捕集抽出切替用弁８は自動弁を使用した。
【００７７】
次に第２の抽出工程について説明する。第２の抽出工程は抽出液７０を空気混入で攪拌しサンプリング用フィルタ６に捕捉された塵埃からアレルゲンを抽出する工程である。まずスイッチ３６により吸引ファン１１を起動し、５分間運転した。この際一部の吸気は、抽出液貯液槽１４の開口部から入り抽出液吸気導入管１５、抽出用弁１６を介して抽出液溜め７ひいてはサンプリング用フィルタ６に到達し、抽出液７０の大部分はサンプリング用フィルタ６より上部すなはち塵埃溜め５内に移行した状態で攪拌された。このときのサンプリング用フィルタ６における線速度は５０ｍ／ｓであった。その排気は内部吸気路４Ａ、内部吸気路４Ｄ、捕集抽出切替用弁８、内部吸気路４Ｃを介してフィルタバッグ１０、吸引ファン１１、最終フィルタ１２、排気口１３を通過して系外に排出された。また、一部の吸気はサンプリング用ノズル１より流入し、外部吸気路２、内部吸気路４Ｄ、捕集抽出切替用弁８、内部吸気路４Ｃを介してフィルタバッグ１０、吸引ファン１１、排気口１３を通過して系外に排出された。この際、微細なアレルゲンはフィルタバッグ１０で捕捉された。
【００７８】
▲３▼分離工程
スイッチ３６により吸引ファン１１を停止した。抽出液７０は負圧が解除され開放となる為、塵埃溜め５内から抽出液溜め７に、サンプリング用フィルタ６により塵埃と前記アレルゲンを抽出した被検液に分離されて測定用被検液となり抽出液溜め７に溜まった。
【００７９】
▲４▼採取工程
抽出液溜め７内の測定用被検液をピペットで採取した。本実施例では、分離用フィルタ２０による分離精度の向上は不必要であったため、分離用フィルタ２０は使用しなかった。
【００８０】
サンドイッチＥＬＩＳＡ法により前記測定用被検液のダニアレルゲンＤｅｒｆ  ＩＩを測定した。
【００８１】
図１０より図１のアレルゲン測定用被検液作成装置により作成したアレルゲン測定用被検液は設定値の８３％程度を検出可能であること、また、相関係数が０．９９８と高く、安定に検出可能であることがわかる。
【００８２】
本実施例以外にもアレルゲン測定用被検液作成装置は種々考えることが出来る。例えば、より自動化を推進した装置や、測定装置も一体化された装置等が考えられる。
【００８３】
（実施例２）
本実施例では、コナヒョウヒダニ（Ｄｅｒｍａｔｏｆａｇｏｉｄｅｓ  ｆａｒｉｎａｅ）のアレルゲンであるＤｅｒ  ｆ  ＩＩを含む含有量が既知の培地を、一定量ずつ撒いた状態の絨毯から測定用被検液を作成した。本実施例では図１のアレルゲン測定用被検液作成装置を使用し、４段階の工程（▲１▼捕集工程、▲２▼抽出工程、▲３▼分離工程、▲４▼採取工程）によりアレルゲン測定用被検液を作成する。あらかじめコナヒョウヒダニを繁殖させた培地を１μｇ−Ｄｅｒ  ｆ  ＩＩ／ｍ２から０．００５μｇ−Ｄｅｒ  ｆ  ＩＩ／ｍ２となるように絨毯に散布したものを試験に供した。
【００８４】
図１１は実施例２において散布したダニアレルゲンの設定値と図１のアレルゲン測定用被検液作成装置を使用したダニアレルゲンの測定値との関係を示すグラフ図である。つまり、図１１には、前記絨毯に散布したダニアレルゲンの設定値と図１のアレルゲン測定用被検液作成装置により作成した被検液のサンドイッチＥＬＩＳＡ法によるダニアレルゲンの測定値との関係が示されている。
【００８５】
▲１▼捕集工程
抽出用弁１６を閉じた状態で、スイッチ３６により吸引ファン１１を起動し１．０ｍ３／分で吸気しながら、測定対象となる部位をサンプリング用ノズル１で２分間、１ｍ２の条件で操作した。サンプリング用ノズル１から吸い込まれた塵埃の大部分を外部吸気路２、スクリーニング用フィルタ３、塵埃溜め５を介してサンプリング用フィルタ６上に捕集し、大部分の塵埃が取り除かれた空気はさらに内部吸気路４、フィルタバッグ１０、吸引ファン１１、最終フィルタ１２、排気口１３を通過して系外に排出した。この際、微細なアレルゲンはフィルタバッグ１０で捕捉した。また、スクリーニング用フィルタ３、サンプリング用フィルタ６、フィルタバッグ１０は実施例１と同様のものを用い、最終フィルタ１２はフィルタバッグ１０が排出すべきでないアレルゲンを十分に捕捉可能であるため設置しなかった。
【００８６】
▲２▼抽出工程
抽出工程は前述の通り、第１の抽出工程と第２の抽出工程とから構成される。
【００８７】
まず第１の抽出工程について説明する。第１の抽出工程は抽出液７０を抽出液溜め７に注ぐ工程である。まずスイッチ３６により吸引ファン１１を停止した状態で、塵埃を捕集した塵埃溜め５とサンプリング用フィルタ６を抽出液溜め７に設置し、抽出液７０を塵埃溜め５を介して注いだ。抽出液として、ダルベッコりん酸緩衝生理食塩水に０．０５ｗ／ｖ％ポリオキシエチレン（２０）ソルビタンモノラウレートを含有し、ｐＨ７．４±０．２の溶液（以下ＰＢＳ−Ｔ）１０ｍＬを使用した。
【００８８】
次に第２の抽出工程について説明する。第２の抽出工程は抽出液７０を空気の混入で攪拌し、サンプリング用フィルタ６に捕捉された塵埃からアレルゲンを抽出する工程である。まずスイッチ３６により吸引ファン１１を起動し、５分間運転した。この際、一部の吸気は、抽出液溜め７から入り、サンプリング用フィルタ６に到達し、抽出液７０の大部分はサンプリング用フィルタ６より上部すなわち塵埃溜め５内に移行した状態で空気が吹き込まれて攪拌された。その排気は内部吸気路４を介してフィルタバッグ１０、吸引ファン１１、最終フィルタ１２、排気口１３を通過して系外に排出された。また、一部の吸気はサンプリング用ノズル１より流入し、外部吸気路２、スクリーニング用フィルタ３、内部吸気路４を介してフィルタバッグ１０、吸引ファン１１、最終フィルタ１２、排気口１３を通過して系外に排出された。
【００８９】
▲３▼分離工程
スイッチ３６により吸引ファン１１を停止した。抽出用継手２７を塵埃溜め５から外した。抽出液７０は負圧が解除され開放となる為、塵埃溜め５内に保持された状態から抽出液溜め７に重力で流下する。この際、サンプリング用フィルタ６により塵埃と前記アレルゲンを抽出した被検液に分離されて測定用被検液となり抽出液溜め７に溜まった。
【００９０】
▲４▼採取工程
抽出液溜め７内の測定用被検液をピペットで採取した。本実施例では、分離用フィルタ２０による分離精度の向上は不必要であったため、分離用フィルタ２０は使用しなかった。サンドイッチＥＬＩＳＡ法により前記測定用被検液のダニアレルゲンＤｅｒ  ｆ  ＩＩを測定した。
【００９１】
図１１より図１のアレルゲンの測定用被検液作成装置により作成した被検液は設定値の７８％程度を検出可能であること、また、相関係数が０．９９８と高く、安定に検出可能であることがわかる。
【００９２】
本実施例以外にもアレルゲン測定用被検液作成装置は種々考えることが出来る。例えば、より自動化を推進した装置や、測定装置も一体化された装置等が考えられる。
【００９３】
【発明の効果】
以上説明したように本発明の請求項１に記載のアレルゲン測定用被検液作成方法によれば、サンプリング用フィルタで塵埃を捕捉する捕集工程と、サンプリング用フィルタを抽出液に接触させて、捕捉した塵埃を懸濁させ、抽出液を空気の混入により攪拌して、捕捉した塵埃に含有されたアレルゲンを抽出液に抽出する抽出工程と、アレルゲン抽出後の塵埃をサンプリング用フィルタによって抽出液から分離してアレルゲンが溶解した被検液を作成する分離工程とを有することにより、サンプリング用フィルタで塵埃が捕集され、空気撹拌によりアレルゲンが抽出液に抽出され、アレルゲン測定用被検液がサンプリング用フィルタにより分離されるようにしたので、捕集条件、抽出条件、分離条件が一定になり、またアレルゲンに手を接触させることなくサンプリング用フィルタによりアレルゲン測定用被検液が作成されることにより、一連のアレルゲン測定用被検液の作成を衛生的、簡易に、精度高くおこなえるという有利な効果が得られる。
【００９４】
請求項２に記載のアレルゲン測定用被検液作成方法によれば、請求項１に記載のアレルゲン測定用被検液作成方法において、サンプリング用フィルタの形状は、網状および不織布状のいずれか１種類の形状または両方が複合した形状であることにより、サンプリング用フィルタの開口率が高いため通気抵抗が小さく、捕集に必要な動力を小さく設定でき、安価にアレルゲン測定用被検液の作成がおこなわれるという有利な効果が得られる。
【００９５】
請求項３に記載のアレルゲン測定用被検液作成方法によれば、請求項１または２に記載のアレルゲン測定用被検液作成方法において、サンプリング用フィルタは、セルロース、ポリプロピレン、ナイロン、フッ素樹脂、ポリエチレン、ポリスチレン、アクリル樹脂、ステンレス、チタン、鉄、銅のいずれか１種類の材質または複数種類が複合した材質であることにより、汎用性のある材料で構成されるので、、アレルゲン測定用被検液の作成が安価に、簡易に、精度高くおこなわれるという有利な効果が得られる。
【００９６】
請求項４に記載のアレルゲン測定用被検液作成方法によれば、請求項１乃至３の内いずれか１項に記載のアレルゲン測定用被検液作成方法において、サンプリング用フィルタの捕捉可能な粒径が１μｍ以上、１００μｍ以下であることにより、必要以上に吸気の抵抗となることなくかつ大部分のアレルゲンを捕捉可能であり、吸引するための動力を最小限とすることが可能であるから、安価にアレルゲン測定用被検液が作成されるという有利な効果が得られる。
【００９７】
請求項５に記載のアレルゲン測定用被検液作成装置によれば、サンプリング用フィルタが設けられ、排気側からの吸引により塵埃を含んだ空気から塵埃を分離できる塵埃溜め部と、抽出液を貯える抽出液貯液槽と、外気と前記抽出液貯留槽と連通し抽出液を導入できる抽出部と、塵埃溜め部の排気側を前記抽出部内の抽出液中に浸漬したとき、逆方向からの吸引で抽出液を前記塵埃溜め部内に移して該抽出液と塵埃とを接触させるファンとを有することにより、サンプリング用フィルタの排気側からの吸引で塵埃溜め部内に塵埃を溜め、この排気側を抽出液に浸漬し、塵埃と抽出液をファンで移送して接触させるので、一定の補足精度を有するサンプリング用フィルタにより、捕集条件、分離条件を安定化でき、またアレルゲンに手を接触させることなくサンプリング用フィルタによりアレルゲン測定用被検液を作成することができるので、一連のアレルゲン測定用被検液の作成を衛生的、簡易に、精度高くおこなえるという有利な効果が得られる。
【００９８】
請求項６に記載のアレルゲン測定用被検液作成装置によれば、サンプリング用フィルタが設けられ、塵埃を含んだ空気を排気側から吸引したときには塵埃を捕集し、排気側が抽出液中に浸漬されたときには吸気側から抽出液を吸引することにより捕集された塵埃と抽出液を混合することができる塵埃溜め部と、抽出液を貯える抽出液貯液槽と、外気と前記抽出液貯留槽と連通し抽出液を導入できる抽出部と、塵埃溜め部と抽出部に切換手段により選択的に接続できる内部流路と、内部流路に設けられたファンとを有し、塵埃溜め部と接続する内部流路が選択されたときにはファンにより、塵埃が塵埃溜め部内に捕集され、抽出部と接続する内部流路が選択され且つ抽出部と接続する内部流路が塵埃溜め部の吸気側と接続されたときには、ファンにより抽出液が塵埃溜め部内に移送されて塵埃と抽出液が撹拌されることにより、一定の捕捉精度を有するサンプリング用フィルタにより、捕捉条件、分離条件を安定化でき一定の攪拌強度を与えることができ、さらに塵埃の捕集動作と塵埃、抽出液撹拌動作が容易に切り換えられ、一連のアレルゲン測定用の被検液の作成を衛生的・簡易に精度高く行えるという有利な効果が得られる。
【００９９】
請求項７に記載のアレルゲン測定用被検液作成装置によれば、請求項６に記載のアレルゲン測定用被検液作成装置において、内部流路に塵埃溜め部を装着するための装着部が設けられるとともに、塵埃溜め部の吸気側には接続部が設けられ、抽出部と接続する内部流路が選択されたときには塵埃溜め部が抽出部と接続する内部流路に接続部により接続されることにより、塵埃溜め部の装着、接続の容易化を図ることができ、内部流路の構成を容易化することができるという有利な効果が得られる。
【０１００】
請求項８に記載のアレルゲン測定用被検液作成装置によれば、請求項５乃至７のいずれか１に記載のアレルゲン測定用被検液作成装置において、抽出液貯留槽は弁を介して抽出部に連通し、前記弁を開放して前記抽出液貯留槽の内部の抽出液を前記抽出部に導入することにより、塵埃の捕集後、抽出液を自動的に供給することができるので、塵埃に使用者が触れることなく衛生的、簡易にアレルゲン測定用被検液の作成をおこなうことができるという有利な効果が得られる。
【０１０１】
請求項９に記載のアレルゲン測定用被検液作成装置によれば、請求項５乃至８のいずれか１に記載のアレルゲン測定用被検液作成装置において、アレルゲンと接触した抽出液を、重力を利用してサンプリング用フィルタにより、アレルゲン抽出後の塵埃とアレルゲンを抽出した被検液とに分離することにより、塵埃の捕集後、抽出液を自動的に供給することができるので、塵埃に使用者が触れることなく衛生的、簡易に抽出液の作成をおこなうことができるという有利な効果が得られる。
【０１０２】
請求項１０に記載のアレルゲン測定用被検液作成装置によれば、請求項５乃至９のいずれか１に記載のアレルゲン測定用被検液作成装置において、ファンを制御する制御部を備え、制御部は塵埃の捕集、抽出および分離の動作を自動的に行うことにより、捕集条件、抽出条件、分離条件を自動制御により一定にすることができるので、一連のアレルゲン測定用被検液の作成を精度高く、安価におこなうことができるという有利な効果が得られる。
【０１０３】
請求項１１に記載のアレルゲン測定用被検液作成装置によれば、請求項１０に記載のアレルゲン測定用被検液作成装置において、抽出の温度を一定に保持する温度保持装置を備え、制御部によって自動的に温度を制御することにより、抽出条件の中でも特に大きな誤差要因となる抽出液の温度を一定とすることが可能であり、アレルゲン測定用被検液の作成を精度高くおこなうことができ、また、抽出液の温度を周囲温度よりも高く設定することで拡散速度の向上ひいては抽出時間の短縮が可能になるという有利な効果が得られる。
【０１０４】
請求項１２に記載のアレルゲン測定用被検液作成装置によれば、請求項６に記載のアレルゲン測定用被検液作成装置において、塵埃溜め部が抽出部内に排気側を抽出液中に漬けて配設され、ファンによる排気側からの吸引で塵埃を捕集するとともに、切換手段により抽出部と接続する内部流路を選択したときには吸気側からの吸引で塵埃と抽出液を撹拌することにより、塵埃の捕集動作と塵埃・抽出液撹拌動作が、切換手段による内部流路の選択とファンの吸引により容易に行うことができるという有利な効果が得られる。
【図面の簡単な説明】
【図１】本発明の実施の形態１によるアレルゲン測定用被検液作成装置を示す構成図
【図２】図１のアレルゲン測定用被検液作成装置でのアレルゲン測定用被検液作成における捕集工程を示す捕集工程説明図
【図３】（ａ）図１のアレルゲン測定用被検液作成装置でのアレルゲン測定用被検液作成における抽出工程を示す抽出工程説明図
（ｂ）図１のアレルゲン測定用被検液作成装置でのアレルゲン測定用被検液作成における抽出工程を示す抽出工程説明図
（ｃ）図１のアレルゲン測定用被検液作成装置でのアレルゲン測定用被検液作成における抽出工程を示す抽出工程説明図
【図４】図１のアレルゲン測定用被検液作成装置での被検液作成における分離工程を示す分離工程説明図
【図５】図１のアレルゲン測定用被検液作成装置の塵埃溜めと抽出液溜めを示す断面図
【図６】ダニアレルゲンｒＤｅｒ  ｆ  ＩＩの検量線を示すグラフ
【図７】本発明の実施の形態２によるアレルゲン測定用被検液作成装置を示す構成図
【図８】（ａ）図７のアレルゲン測定用被検液作成装置での被検液作成における抽出工程を示す抽出工程説明図
（ｂ）図７のアレルゲン測定用被検液作成装置での被検液作成における抽出工程を示す抽出工程説明図
（ｃ）図７のアレルゲン測定用被検液作成装置での被検液作成における抽出工程を示す抽出工程説明図
（ｄ）図７のアレルゲン測定用被検液作成装置での被検液作成における分離工程を示す分離工程説明図
【図９】ダニアレルゲンＤｅｒ  ｆ  ＩＩの塵埃における粒径分布例を示すグラフ
【図１０】実施例１において散布したダニアレルゲンの設定値と図１のアレルゲン測定用被検液作成装置を使用したダニアレルゲンの測定値との関係を示すグラフ
【図１１】実施例２において散布したダニアレルゲンの設定値と図１のアレルゲン測定用被検液作成装置を使用したダニアレルゲンの測定値との関係を示すグラフ
【符号の説明】
１  サンプリング用ノズル
２  外部吸気路
３  スクリーニング用フィルタ
４、４Ａ、４Ｂ、４Ｃ、４Ｄ  内部吸気路
５、５Ａ  塵埃溜め
６  サンプリング用フィルタ
７、７Ａ  抽出液溜め
８  捕集抽出切替用弁
９  フィルタバッグ固定用ジョイント
１０  フィルタバッグ
１１  吸引ファン
１２  最終フィルタ
１３  排気口
１４  抽出液貯液槽
１５  抽出液・吸気導入管
１６  抽出用弁
１７  被検液採取用内部配管
１８  被検液採取用ポート
１９  被検液採取用シリンジ
２０  分離用フィルタ
２１  筐体
２２  ハンドル
２３  フィルタバッグ交換用扉
２４  抽出液溜めメンテナンス用扉
２５  移動用キャスター
２６  抽出用吸気路
２７  抽出用継手
３１  コンセント
３２  電線
３３  ＡＣ／ＤＣコンバータ
３４  制御部
３５  演算部
３６  スイッチ
５１  開口形成用脚
５２  支持体
７０  抽出液
【図１】
0003633338.tif 000002
【図２】
0003633338.tif 000003
【図３】
0003633338.tif 000004
【図４】
0003633338.tif 000005
【図５】
0003633338.tif 000006
【図６】
0003633338.tif 000007
【図７】
0003633338.tif 000008
【図８】
0003633338.tif 000009
【図９】
0003633338.tif 000010
【図１０】
0003633338.tif 000011
【図１１】
0003633338.tif 000012